(57)【要約】【課題】断面寸法の比較的小さい被処理物も確実に破砕でき、また、固定刃の交換を容易に行うことができる破砕機を提供すること。【解決手段】破砕機１は、投入口２ａ及び排出口２ｂを有するケーシング２と、ケーシング２内に配列されて複数の回転刃６が設けられた２つのロータ３，３と、ロータ３，３の下側に配置された複数の固定刃８を備える。板状の固定刃８は、一方のロータ３の軸装着部５１の外周面に沿った第１弧状部８５と、他方のロータ３の回転刃６の軌跡に沿った第２弧状部８６を有し、ロータ３の回転軸４に沿って互いに平行に複数枚配列される。固定刃８は、ケーシング２の内側面からロータ３の下方にわたって延在し、固定刃８の第２弧状部８６の下方部分が、平面視においてロータ３，３の間に配置されて回転軸４と平行に延びる固定刃支持部材９に支持される。【選択図】図１
2015016424.tif 000002
【特許請求の範囲】
【請求項１】
被処理物の投入口を上部に有すると共に排出口を下部に有するケーシングと、
上記ケーシングの内側に互いに平行に配置され、回転駆動される２つの回転軸と、
上記回転軸の軸方向に所定間隔をおいて配列された複数の板状の回転刃支持体と、
上記回転刃支持体に着脱可能に取り付けられた回転刃と、
上記回転軸と平行に延在すると共に、平面視において上記２つの回転軸の間に配置され、かつ、上記回転軸よりも排出口側に配置された固定刃支持部材と
平面視において上記ケーシングの内側面と上記固定刃支持部材との間に延在するように配列された複数の固定刃と
を備えることを特徴とする破砕機。
【請求項２】
請求項１に記載の破砕機において、
上記固定刃は、一方の上記回転軸の外周面に沿った第１弧状部と、他方の上記回転軸により回転駆動される回転刃の軌跡に沿った第２弧状部とを有することを特徴とする破砕機。
【請求項３】
請求項２に記載の破砕機において、
上記固定刃は、上記第１弧状部の側方部分がケーシングの内側面に固定されている一方、上記第２弧状部の下方部分が上記固定刃支持部材に固定されていることを特徴とする破砕機。
【請求項４】
請求項１乃至３のいずれかに記載の破砕機において、
上記回転刃支持体は、上記回転軸の径方向に突出した回転刃取付け部を有し、
上記回転刃取付け部は上記回転軸の径方向と略平行の回転刃取付面を有し、
上記回転刃は、上記回転刃取付面に接する接触面を有し、
上記回転刃支持体の回転刃取付け部に、回転方向における後方から回転軌跡の接線方向に挿入されたボルトで上記回転刃が固定されていることを特徴とする破砕機。
【請求項５】
請求項４に記載の破砕機において、
上記回転刃支持体の回転刃取付け部の回転刃取付面と上記回転刃の接触面は、いずれか一方に形成した凸部と、他方に形成した凹部とが嵌合してなる嵌合構造を有することを特徴とする破砕機。
【請求項６】
請求項５に記載の破砕機において、
上記嵌合構造は、上記回転軸の径方向に延在する溝及び凸部と、上記回転軸と平行方向に延在する溝及び凸部を有することを特徴とする破砕機。
【請求項７】
請求項５に記載の破砕機において、
上記嵌合構造は、Ｔ字状の溝及び凸部を有することを特徴とする破砕機。
【発明の詳細な説明】
【技術分野】
【０００１】
本発明は、回転刃を有する２つのロータが互いに平行に配置された２軸型の破砕機に関する。
【背景技術】
【０００２】
従来より、例えば家具や家電製品等の粗大ごみや、タイヤや自転車や木材等の各種の廃棄物を破砕するため、２軸型の破砕機が用いられている。
【０００３】
従来の２軸型の破砕機としては、図１２に示すように、ケーシング１０２内に、２つのロータ１０３，１０３を互いに平行に配置したものがある。このロータ１０３は、モータから回転力が入力される回転軸１０４と、回転軸１０４の外周に固定された複数の支持円盤１０５と、支持円盤１０５の外周に固定された回転刃１０６を有する。ケーシング１０２の内側には、上記ロータ１０３の回転刃１０６に近接して配置され、回転する回転刃１０６と共にせん断動作を行うように固定された固定刃１０７と、上記２つのロータ１０３，１０３の下方に配置された格子状スクリーン１０８を備える。
【０００４】
上記ロータ１０３に設けられた回転刃１０６は、支持円盤１０５の外周を３つの上記回転刃１０６で取り囲むように形成されている。上記回転刃１０６は、図１３に示すように、３分の１円弧状に形成されて内周面が支持円盤１０５の外周面に接する回転刃本体１０６ｂと、回転刃本体１０６ｂの一端に形成され、径方向に突出して尖端が尖った刃物部１０６ａを有する。回転刃１０６の刃物部１０６ａにはボルト頭の座面を有するボルト穴１０９ａが設けられており、このボルト穴１０９ａに挿通されたボルト１１０により、この回転刃１０６の一端と、隣接する回転刃１０６の他端とを固定するようになっている。弧状本体１０６ｂの他端面には、隣接する回転刃１０６のボルト穴１０９ａに挿通されたボルト１１０の先端が螺着するボルト穴１０９ｂが設けられている。弧状本体１０６ｂの内周面には、この弧状本体１０６ｂと支持円盤１０５とを固定するためのキーが嵌合するキー溝１０５ｃが設けられている。上記支持円盤１０５及び回転刃１０６は、回転軸１０６に沿って所定間隔をおいて固定されており、平行に配置された２つのロータ１０３，１０３は、互いの支持円盤１０５及び回転刃１０６の回転軌跡が軸方向視において重複するように配置されている。
【０００５】
上記従来の破砕機１０１は、モータから回転軸１０４に入力された回転力により、２つのロータ１０３が互いに逆向きに回転駆動され、２つのロータ１０３の対向部分において、回転刃１０６が上から下に移動する。ケーシング１０２の上端の投入口から投入された被処理物は、上記２つのロータ１０３の間に噛み込まれて下方に移動する際に、隣接する回転刃１０６と回転刃１０６でせん断されて破砕される。ロータ１０３の下方に移動した被処理物は、格子状スクリーン１０８の網目寸法よりも大きい場合、格子状スクリーン１０８の上に保持され、回転刃１０６と固定刃１０７でせん断されて破砕される。回転刃１０６相互によるせん断動作や、回転刃１０６と固定刃１０７によるせん断動作により、被処理物が格子状スクリーン１０８の網目寸法よりも小さくなると、格子状スクリーン１０８の網目を通過して下方に落下し、図示しないベルトコンベヤで回収されて破砕機１０１から排出される。
【先行技術文献】
【特許文献】
【０００６】
【特許文献１】特開２０００−１１７１３３号公報
【発明の概要】
【発明が解決しようとする課題】
【０００７】
しかしながら、上記従来の破砕機は、ロータ１０３，１０３の下方に移動した被処理物を格子状スクリーン１０８で保持するので、棒状の被処理物が投入された場合、被処理物が２つのロータ１０３，１０３の隙間と格子状スクリーン１０８の網目を通過して抜け落ち、破砕されずに排出される可能性がある。
【０００８】
また、回転刃１０６が、支持円盤１０５の外周を３つの上記回転刃１０６で取り囲むように配置され、隣り合う回転刃１０６の相互がボルト１１０で固定され、かつ、支持円盤１０５との間に回転止めのキーが設けられているので、回転刃１０６に係る部品点数が多く、摩耗等に伴う回転刃１０６の交換作業に手間がかかるという問題がある。
【０００９】
そこで、本発明の課題は、棒状の被処理物のような断面寸法の比較的小さい被処理物も確実に破砕でき、また、固定刃の交換を容易に行うことができる破砕機を提供することにある。
【課題を解決するための手段】
【００１０】
上記課題を解決するため、本発明の破砕機は、被処理物の投入口を上部に有すると共に排出口を下部に有するケーシングと、
上記ケーシングの内側に互いに平行に配置され、回転駆動される２つの回転軸と、
上記回転軸の軸方向に所定間隔をおいて配列された複数の板状の回転刃支持体と、
上記回転刃支持体に着脱可能に取り付けられた回転刃と、
上記回転軸と平行に延在すると共に、平面視において上記２つの回転軸の間に配置され、かつ、上記回転軸よりも排出口側に配置された固定刃支持部材と
平面視において上記ケーシングの内側面と上記固定刃支持部材との間に延在するように配列された複数の固定刃と
を備えることを特徴としている。
【００１１】
上記構成によれば、回転軸が回転駆動され、回転刃支持体に取り付けられた回転刃が回転駆動されることにより、回転刃と回転刃によるせん断動作と、回転刃と固定刃によるせん断動作が行われる。ケーシングの上部の投入口から投入された被処理物は、上記回転刃と回転刃によるせん断動作と、回転刃と固定刃によるせん断動作を受けて破砕される。ここで、例えば棒状の被処理物のように断面の寸法が比較的小さい被処理物が、回転軸と回転軸の間をせん断されることなく通過しても、この被処理物は、ケーシングの内側面と固定刃支持部材との間に延在する複数の固定刃に当接する。また、断面の寸法が比較的小さい被処理物が、複数の固定刃の相互間を通過しても、上記固定刃を支持する固定刃支持部材に当接する。したがって、上記被処理物は、固定刃及び／又は固定刃支持部材によって効果的に抜け止めが行われるので、回転刃と回転刃又は回転刃と固定刃により、効果的に破砕される。その結果、断面寸法の小さい被処理物が処理されることなく抜け落ちる不都合を防止でき、被処理物の破砕効率を高めることができる。
【００１２】
一実施形態の破砕機は、上記固定刃は、一方の上記回転軸の外周面に沿った第１弧状部と、他方の上記回転軸により回転駆動される回転刃の軌跡に沿った第２弧状部とを有する。
【００１３】
上記実施形態によれば、固定刃の第１弧状部により、一方の回転軸に被処理物が巻き付く不都合を防止できると共に、固定刃の第２弧状部により、他方の回転軸で駆動される回転刃と共にせん断動作を行うことができる。したがって、少ない部品点数により、安定して被処理物のせん断動作を行うことができる破砕機が得られる。ここで、上記第１弧状部の形状は、回転軸の表面に直接沿った形状のほか、例えば回転軸に装着された円環状の部材の外周面に沿う形状であってもよく、要は、実質的に回転軸と同一とみなされる部材の外周面に沿った形状であればよい。
【００１４】
一実施形態の破砕機は、上記固定刃は、上記第１弧状部の側方部分がケーシングの内側面に固定されている一方、上記第２弧状部の下方部分が上記固定刃支持部材に固定されている。
【００１５】
上記実施形態によれば、固定刃の第２弧状部の下方部分が固定刃支持部材で支持されているので、この第２弧状部と、この第２弧状部に沿って回転駆動される回転刃とで、被処理物が効果的にせん断される。
【００１６】
一実施形態の破砕機は、上記回転刃支持体は、上記回転軸の径方向に突出した回転刃取付け部を有し、
上記回転刃取付け部は上記回転軸の径方向と略平行の回転刃取付面を有し、
上記回転刃は、上記回転刃取付面に接する接触面を有し、
上記回転刃支持体の回転刃取付け部に、回転方向における後方から回転軌跡の接線方向に挿入されたボルトで上記回転刃が固定されている。
【００１７】
上記実施形態によれば、回転刃支持体の回転刃取付け部の回転刃取付面に、回転刃の接触面が接触した状態で、上記回転刃取付け部に後方から回転軌跡の接線方向に挿入されたボルトで上記回転刃が上記回転刃取付け部に固定されるので、回転刃支持体の回転刃取付け部のボルトを操作することにより回転刃を着脱できる。したがって、従来よりも少ない工程で、回転刃の交換作業を行うことができる。
【００１８】
一実施形態の破砕機は、上記回転刃支持体の回転刃取付け部の回転刃取付面と上記回転刃の接触面は、いずれか一方に形成した凸部と、他方に形成した凹部とが嵌合してなる嵌合構造を有する。
【００１９】
上記実施形態によれば、回転刃支持体の回転刃取付け部の回転刃取付面と回転刃の接触面に設けた嵌合構造により、回転刃支持体の回転刃取付け部に回転刃を安定して固定することができる。
【００２０】
一実施形態の破砕機は、上記嵌合構造は、上記回転軸の径方向に延在する凹部及び凸部と、上記回転軸と平行方向に延在する凹部及び凸部を有する。
【００２１】
上記実施形態によれば、回転刃支持体の回転刃取付け部に回転刃を適切に安定して固定することができると共に、回転軸と平行方向の振れ止めと、回転軸の径方向の振れ止めを行うことができる。
【００２２】
一実施形態の破砕機は、上記嵌合構造は、Ｔ字状の凹部及び凸部を有する。
【００２３】
上記実施形態によれば、比較的簡易な構造により、回転刃支持体の回転刃取付け部に回転刃を適切に安定して固定することができると共に、回転軸と平行方向の振れ止めと、回転軸の径方向の振れ止めを行うことができる。
【図面の簡単な説明】
【００２４】
【図１】本発明の実施形態の破砕機を示す横断面図である。
【図２】破砕機を示す平面図である。
【図３】回転刃支持ユニットを示す側面図である。
【図４】回転刃支持ユニットを示す正面図である。
【図５】回転刃を示す平面図である。
【図６】回転刃を示す側面図である。
【図７】回転刃を示す背面図である。
【図８】固定刃を示す正面図である。
【図９】他の回転刃を示す平面図である。
【図１０】他の回転刃を示す側面図である。
【図１１】他の回転刃を示す背面図である。
【図１２】従来の破砕機を示す横断面図である。
【図１３】従来の破砕機が備える回転刃を示す正面図である。
【発明を実施するための形態】
【００２５】
以下、本発明を図示の実施の形態により詳細に説明する。
【００２６】
図１は、本発明の実施形態の破砕機を示す横断面図であり、図２は、図１の破砕機の平面図である。本実施形態の破砕機１は、家具、家電、自転車、自動車部品、ドラム缶、木材等の種々の廃棄物を破砕して破片にするものであり、ゴミ処理や再生材料の製造等の種々の産業で使用される。
【００２７】
この破砕機１は、被処理物の投入口２ａが上端に形成され、破砕処理後の被処理物を排出する排出口２ｂが下端に形成された略直方体のケーシング２と、ケーシング２内に平行に配置され、回転刃６を有して回転駆動される２つのロータ３，３と、各ロータ３，３の下側に配置された固定刃８と、ロータ３，３を回転駆動する図示しないモータで大略構成されている。
【００２８】
ケーシング２内のロータ３，３よりも排出口２ｂ側には、矩形断面を有する棒状の固定刃支持部材９が配置されている。この固定刃支持部材９は、平面視において、２つの回転軸４の間に、これらの回転軸４と平行に配置されている。ケーシング２のロータ３，３を挟んで対向する内側面には、フランジ状の２つの側方支持部材１０，１０が固定されている。これらの側方支持部材１０，１０は、固定刃支持部材９と略同じ高さに配置されている。
【００２９】
ロータ３は、モータから回転力が伝達される円形断面の回転軸４と、回転軸４に外嵌して軸方向に個配列された複数の回転刃支持ユニット５，５，・・・と、回転刃支持ユニット５に取り付けられた回転刃６を有する。
【００３０】
回転刃支持ユニット５は、図３の側面図及び図４の正面図に示すように、回転軸４に挿通される挿通孔５５を有する円環状の軸装着部５１と、軸装着部５１の外周面に固定された板状の回転刃支持体５２を有する。回転刃支持体５２は、径方向に突出した回転刃支持部５３を有し、この回転刃支持部５３には、回転軸４の接線と平行方向を向いた端面に、回転刃６の取付面５３ａが形成されている。この取付面５３ａには、図３の側面視において逆Ｔ字状の凹部としての嵌合溝５４が設けられている。回転刃支持部５３には、取付面５３ａの背面から取付面５３ａに向かって回転軸４の接線方向に延在するボルト穴５５が設けられている。ボルト穴５５は、１つの取付面５３ａにつき径方向に２つ配列されている。上記取付面５３ａに、回転刃６が取り付けられる。回転刃支持ユニット５の軸装着部５１の挿通孔５５の壁面には、回転軸４との間の回り止めのキー１１が取り付けられるキー溝５６が、中心軸に関して径方向に対称の２か所に形成されている。この回転刃支持ユニット５は、２つの回転軸４，４の夫々に、互いの軸装着部５１の端面が接するように複数個配列されて装着されている。各回転軸４，４のケーシング２内の回転軸４方向に対向する壁面の近傍には、軸スペーサ５８が装着されており、これにより、回転軸４，４に対する回転刃支持ユニット５の装着位置が調整されて、両方の回転軸４，４に装着された回転刃支持ユニット５の回転刃支持体５２が、回転軸４方向に交互に位置するように配列されている。
【００３１】
上記ロータ３に設けられた複数の回転刃支持ユニット５は、回転軸４回りに位相をずらして固定されている。これにより、回転刃６が被処理物をせん断する際に回転刃支持ユニット５から回転軸４に作用する抵抗を、回転刃支持ユニット５毎にずらして生じるようにしている。なお、図１の横断面図には、回転軸４に装着された複数の回転刃支持ユニット５のうち、横断面に近い単一の回転刃支持ユニット５のみを示している。一方のロータ３の回転刃支持ユニット５と、他方のロータ３の回転刃支持ユニット５は、互いに逆向きに装着されている。詳しくは、図１の横断面図に示すように、２つのロータ３，３の回転刃支持ユニット５に固定された回転刃６の刃先が、互いのロータ３，３の間において、排出口２ｂ側を向くように配置されている。また、一方のロータ３の回転刃支持ユニット５と、他方のロータ３の回転刃支持ユニット５は、互いに約９０°の位相差をなして装着されている。
【００３２】
図５は回転刃６の平面図であり、図６は回転刃６の側面図であり、図７は回転刃６の背面図である。この回転刃６は、正面側に、刃先が径方向に延在するブレード６１が形成されている。ブレード６１は、回転刃支持ユニット５に取り付けられたときの回転軸４の径方向外側に向かうにつれて、回転方向に突出しており、これにより、図６の側面図に示すように、回転軸４の径方向外側の先端が鋭角に形成されている。この回転刃６の背面側には、図７に示すように、Ｔ字状に形成された嵌合凸部６２が設けられており、この嵌合凸部６２には、回転刃支持ユニット５に取り付けられたときの回転軸４の径方向の外側と内側に配列された２つのボルト穴６６，６６が設けられている。この嵌合凸部６２は、高さ方向、すなわち、回転軸４の径方向に延在する部分と、幅方向、すなわち、回転軸４と平行方向に延在する部分とが接続する凸部側面６３が、曲面に形成されている。この回転刃６のＴ字状の嵌合凸部６２を、回転支持体５２の回転刃支持部５３の取付面５３ａに形成されたＴ字状の嵌合溝５４に嵌合させ、回転支持体５３のボルト穴５５に挿通されたボルトを回転刃６のボルト穴６６に螺着して締結することにより、回転刃６を回転支持体５２の回転刃支持部５３に固定している。
【００３３】
図８は、固定刃８を示す正面図である。固定刃８は、平面視において、ケーシング２の内側面と固定刃支持部材９との間に延在するように配列される。この固定刃８は、図８の縦方向に延在してケーシング２の内側面に固定される固定縁８１と、図８の横方向に延在する下端縁８２と、固定縁８１の上端から下方に向かって傾斜する上部傾斜縁８４と、上部傾斜縁８４に連なり、一方の回転軸４に装着される回転刃支持ユニット５の軸装着部５１の外周面に沿った第１弧状部８５と、他方の回転軸４に装着される回転刃支持ユニット５に固定される回転刃６の軌跡に沿った第２弧状部８６により輪郭が形成されている。固定刃８の下端縁８２の両側には、側方支持部材１０に嵌合して固定される側方固定部８２ａと、固定刃支持部材９に嵌合して固定される中央固定部８２ｂとを有する。中央固定部８２ｂは、第２弧状部８６の下方に位置しており、互いの先端部が連なっている。この固定刃８は、横断面視においてケーシング２内のロータ３の側方から下方にわたって位置すると共に、平面視において、ロータ３に装着された複数の回転刃支持ユニット５の回転刃支持体５２の間に位置するように、回転軸４の延在方向に等間隔をおいて配列される。複数の上記固定刃８は、図１に示されるように、回転軸４の軸方向視において、第２弧状部８６が重複するように配置される。
【００３４】
上記構成の破砕機１は、次のように動作する。まず、モータが起動して２つの回転軸４，４を互いに逆方向に回転駆動し、これにより、２つのロータ３，３が互いに逆方向に回転する。ロータ３の回転数は、被処理物が間伐材や剪定材等の木質材である場合、２０ｒｐｍ以上３０ｒｐｍ以下に設定することができる。２つのロータ３，３が互いに逆方向に回転することにより、ロータ３，３の回転刃６が、平面視において２つの回転軸４，４の間に向かうと共に、横断面視において２つの回転軸４，４の間を投入口２ａから排出口２ｂに向かうように駆動される。ケーシング２の投入口２ａから投入された被処理物は、回転する上記ロータ３，３によって被処理物が回転軸４，４の間に導かれ、ロータ３の回転刃６の相互作用によりせん断される。被処理物が回転軸４よりも下方に移動すると、固定刃８と回転刃６の作用によりせん断される。
【００３５】
ここで、上記固定刃８は、回転刃６の軌跡に沿った第２弧状部８６を有するので、回転軸４，４の間を、例えば棒状の被処理物のように断面寸法が比較的小さい被処理物がせん断されることなく通過しても、上記被処理物は固定刃８の第２弧状部８６に当接して固定刃８上に留まる。したがって、回転刃６の相互により、或いは、回転刃６と固定刃８により、上記被処理物が確実にせん断される。また、回転軸４，４間でせん断されなかった被処理物の断面寸法が比較的小さく、固定刃８の相互間を通過した場合であっても、この被処理物は、固定刃８の第２弧状部８６を支持する固定刃支持部材９に当接し、固定刃支持部材９や固定刃８の上に受け取られる。したがって、断面寸法が比較的小さい被処理物であっても、回転刃６の相互により、或いは、回転刃６と固定刃８により効果的にせん断される。
【００３６】
また、断面寸法が比較的小さい被処理物が、ケーシング２の内側面とロータ３の間に落下した場合、ケーシング２の内側面に設けられた側方支持部材１０に当接して係止する。側方支持部材１０に係止した被処理物は、ロータ３の回転刃６で引き上げられ、回転刃６の相互により、或いは、回転刃６と固定刃８により、せん断される。このように、断面寸法が比較的小さい被処理物がロータ３，３の間から外れて投入されても、側方支持部材１０で受け取られて、回転刃６の相互により、或いは、回転刃６と固定刃８により効果的にせん断される。
【００３７】
こうしてせん断されて所定寸法よりも小さくなった被処理物は、固定刃８の相互間、及び、固定刃支持部材９と側方支持部材１０との間に形成された隙間を通って落下し、ケーシング２の下部の排出口２ｂから下方に排出される。
【００３８】
このように、上記実施形態の破砕機１によれば、例えば細枝の剪定材のような断面積の小さい被処理物が投入されても、回転刃６の相互により、或いは、回転刃６と固定刃８により、効果的に破砕することができる。
【００３９】
また、上記実施形態の破砕機１によれば、回転刃支持体５２の回転刃支持部５３の取付面５３ａに設けられた嵌合溝５４に、回転刃６の嵌合凸部６２を嵌合させ、回転刃支持体５２の回転刃支持部５３の回転方向における背面側からボルト穴５５に挿通したボルトによって回転刃６を固定している。したがって、例えば保守作業において、上記回転刃支持部５３の背面のボルトを操作することにより回転刃６を着脱できるので、従来よりも少ない工程で回転刃６の交換作業を行うことができる。また、回転刃支持体５２の回転刃支持部５３の回転方向における背面側からボルト穴５５に挿通したボルトにより、回転刃６を固定するので、回転刃支持体５２の回転に伴ってボルト穴５５に被処理物が詰まる恐れが無い。したがって、ボルトを容易に操作して回転刃６の交換作業を行うことができる。また、ボルト穴５５に被処理物が詰まることによりボルトが過剰に締結される不都合を、防止できる。
【００４０】
また、上記回転刃６の嵌合凸部６２を、回転刃支持部５３の取付面５３ａの嵌合溝５４に嵌合しているので、回転刃６を回転刃支持体５２の回転刃支持部５３に安定して固定することができる。さらに、上記回転刃６の嵌合凸部６２と、上記回転刃支持体５２の回転刃支持部５３の取付面５３ａに設けられた嵌合溝５４とをＴ字状に形成したので、固定刃６について、回転軸４の軸方向と径方向の振れ止めを効果的に行うことができる。なお、上記実施形態において、回転刃６の嵌合凸部６２と、回転刃支持体５２の回転刃支持部５３の取付面５３ａの嵌合溝５４とをＴ字状に形成したが、例えば十字状や、Ｉ字状等に形成してもよい。また、回転刃６に嵌合凸部６２を設け、回転刃支持体５２に嵌合溝５４を設けたが、回転刃６に嵌合溝を設け、回転刃支持体５２に嵌合凸部を設けてもよい。
【００４１】
上記実施形態において、回転刃６として、刃先が径方向に延在するブレード６１を有するものを用いたが、他の形状の回転刃を用いてもよい。例えば、図９の平面図、図１０の側面図及び図１１の背面図に示すように、刃先が回転軸４の径方向、すなわち、回転刃支持部５３の突出方向の最外縁に形成されて、回転軸４方向、すなわち、回転刃支持部５３の厚み方向に延在する回転刃６０を用いることができる。この回転刃６０は、回転刃支持部５３の厚みよりも広い幅に形成され、回転刃支持部５３の取付面５３ａに固定される背面の両側に、傾斜段部１６５が形成されている。図９乃至１１において、嵌合凸部６２、凸部側面６３及びボルト穴６６は、上記実施形態の回転刃６と同様である。刃先が回転軸４の径方向の最外縁に形成され、回転軸４方向に延在して回転刃支持部５３よりも幅広に形成された回転刃６０を用いることにより、上記実施形態の回転刃６よりも大きい衝撃力を被処理物に作用することができるので、高い破砕効果が得られる。
【符号の説明】
【００４２】
１  破砕機
２  ケーシング
２ａ  ケーシングの投入口
２ｂ  ケーシングの排出口
３  ロータ
４  回転軸
５  回転刃支持ユニット
６  回転刃
８  固定刃
５２  回転刃支持体
５３  回転刃支持部
５３ａ  取付面
５４  嵌合溝
６１  ブレード
６２  嵌合凸部
６６  ボルト穴
８５  第１弧状部
８６  第２弧状部
【図１】
2015016424.tif 000003
【図２】
2015016424.tif 000004
【図３】
2015016424.tif 000005
【図４】
2015016424.tif 000006
【図５】
2015016424.tif 000007
【図６】
2015016424.tif 000008
【図７】
2015016424.tif 000009
【図８】
2015016424.tif 000010
【図９】
2015016424.tif 000011
【図１０】
2015016424.tif 000012
【図１１】
2015016424.tif 000013
【図１２】
2015016424.tif 000014
【図１３】
2015016424.tif 000015